(57)【要約】      （修正有）【課題】ペーパーの切り残しや切り口の不揃いを無くして綺麗に切り取り、使用上・管理上の事故防止を図り、身障者の使い勝手４の向上したロールペーパーカッターを提供する。【解決手段】一本の指先のワンタッチで、刃受の空間の上面で両横方向へ引っ張られて安定しているペーパーを、常に安全管理されている鋭利な刃物で刺し切る。【選択図】図４
0003119414.tif 000002
【実用新案登録請求の範囲】
【請求項１】
本案は、図３・４・６のように、三角棒二つを並べた頂点の内側の空間を刃受▲２２▼とし、外側を外側斜面▲２４▼とするペーパー受け▲２３▼を受板▲２１▼の一端に取り付け、また図１・２．４．５のように、直角三角棒二つを並べた底部の内側で、二つの円の外接点を頂点とし円弧を二辺とする鋭利な突起▲１７▼を複数雁行形に並べた刃▲１２▼を保持し、頂点の内側に伸縮性のある内側斜面▲１４▼をつけて刃▲１２▼全体を覆い隠すようにしたペーパー押え▲１３▼を刃板▲１１▼の一端に取り付け、図４・７・８のように、この両板▲１１▼と▲２１▼の基部▲１５▼と▲２５▼を回転可能に結合し、開バネ▲２６▼と戻り止め▲１６▼をつけ、ペーパー押え▲１３▼とペーパー受け▲２３▼とが相互に嵌合・離脱可能になるように構成し、刃受▲２２▼の上面に引き出したペーパー▲２▼の切りたいところの両側を両面から、内側斜面▲１４▼と外側斜面▲２４▼とで押さえながら、両側の方向へ強く引っ張っておいて刃▲１２▼で刺し切ることを可能にしたロールペーパーカッターである。
【考案の詳細な説明】
【技術の分野】
【０００１】本案は片手の指先一本だけの操作で、ロールペーパーの切り残しを無くし、切り口を綺麗に仕上げるためのロールペーパーカッターに関する。
［背景技術］
【０００２】［特許文献１］  特開平１０−１４６２９７（トイレットペーパーの切断器）
［特許文献２］  特開２００３−１４５４８２（安全カッター）
［特許文献３］  特開２００４−８１７３８（ロール紙用ホルダー）
［特許文献４］  特開２０４−２６１５５３（片手で切れるペーパーカッター）
［特許文献５］  特開昭５９−１０１１２２（ペーパーホルダ）
［特許文献６］  特開平０１−２２１１２６（ティッシュペーパーカッター）
［特許文献７］  特開平０９−８４７１８（柔軟シート切断装置）
［特許文献８］  特開平０９−２５３００１（トイレットペーパー切断装置）
［特許文献９］  実開昭６２−３５５９５（トイレットペーパーホルダー）
［特許文献１０］  登録実用３０４２８２３（ロールペーパー収納具）
［考案の開示］
［考案が解決しようとする課題］
１  ペーパーの切り残しや不揃いの切り口を無くし綺麗な切り口を得る策。
２  刃の使用上と管理上の安全対策。
３  身障者の使用上の利便向上策。
［課題を解決するための手段］
１  ペーパーの切り口を綺麗に仕上げるには、まず切れ味の良い鋭利な刃が求められるが、二つの円が相互に外部で平面接合してできる接点とそれを頂点とする二つの弧で形成する、湾曲線を二辺とする超鋭角に尖った突起を複数持つ刃とし、この中央部を山頂に両端部を山裾になるように並べた雁行形となるようにした。
次に求められるのがペーパーを切り易い位置で切り易い状態に安定保持するための方策である。ペーパー受けの位置を本案の最前部に定めこれが使用者の最も手前に向き合うようにした。ペーパー受けは伸縮性を持たない三角棒状のもの二つを並べた状態にして、その外側を外側斜面とし、また内側は溝状の空間で刃を受け入れた時に刃には触れないようにゆとりを持つ刃受けとした。刃受けの両頂点の上面に引き出されたペーパーの切りたいところを安定に保持させるためである。
一方ペーパー押えは二つの直角三角棒状のものを並べてその内側を内側斜面としその底部で刃を両側から保持し、内側斜面に伸縮性を持たせ、ペーパー押えと内側斜面とで刃全体を覆い隠した。このペーパー押えを刃板の先端に取り付け、一方のペーパー受けは受け板の先端に取り付けた。
刃板と受板の基部を回転可能に組み合わせ、ペーパー押えとペーパー受けとが相互に嵌合・離脱できるようにした。
受板の上面でペーパー受けの近くまで出ているペーパーの末端を摘んで引き出しその切りたいところをペーパー受けの刃受けの上面に置き、ペーパー押えを指先で押し下げると内側斜面がペーパーを外側斜面へ押えつける。ペーパーは刃受の上面で、出てきた側と出てゆく側の二つの反対方向へ引っ張られながら安定して保持される。
更にこの先内側斜面が押されて収縮し、先端を現わした刃が、ペーパー押えとペーパー受けの何れの部分にも触れないで空間に安定保持されているペーパーの中央部を刺し切る。
ペーパーを切断した刃は瞬間ではあるが刃受の溝に空間保持される。押えている指先を離すと刃はペーパー押えとともに内側斜面に隠されながら元の位置に戻り、切断されたペーパーは手元に、また残されたペーパーの末端はペーパーの戻り止めによりペーパー受けの外側斜面のところに保持され、次の使用者のためにスタンバイされる。
２  ペーパー押えがペーパー受けに接着してから嵌合してペーパーを切断し、その後再び嵌合状態から接着状態へ戻るまでの間に限って、刃が覆い隠されている状態からむき出し状態になるように構成されているため、この間は使用者の手や指先が刃には接近できない。本案の使用中の刃による事故は起こらない。使用していない管理中でも刃はペーパー押えや内側斜面で刃が防護されていて刃による事故は完全に防止されている。
３  ペーパーの末端が置かれるところにペーパーカバーはつけてはなく、ペーパー押えとペーパー受けが眼前に位置するように構成されているため、ペーパーの引き出しや切断、とりあげ等の操作の全てが最も身近な手元で眼に見えるところでできるし、これらの操作の全てが左右何れかの２本か１本の指先だけでできる。本案をデザインした化粧函にセットして、椅子・ベッド・居間等の日常生活やアウトドアと広く身障者と行動を共にできて有効である。
［考案の効果］
１  ペーパーの切り残しが無く切り口が綺麗に仕上がる。
２  指先だけの軽いワンタッチで操作が完了する。
３  使用中も保管中も刃による事故は一切起こらない。
４  構造が簡単で故障が無く刃の交換ができる。
［考案を実施するための最良の形態］
本案の単独設置による利用の他に現行のホルダーまたはカッターと本案の併設活用ができる。
［実施例］
図４に示す受板の基部の先にホルダーをセットした実施例は、縦３０、横１６、高さ２０センチメートルの、上面と前部とを開放した形の函の形態としたが、刃や部品の一部が代用品を使わざるを得なかったにも拘らず、これの操作により極めて満足し得る効果を確認できた。
［産業上の利用可能性］
構成が簡単で利用し易いことをモットーとする本案は、環境に優しく再利用可能の入手し易い資材で製作できるため、また身障者や一般家庭向けとしても、接客・業務用の需要にも劣らぬ対応が期待され産業上大いに貢献できる。
【図面の簡単な説明】
【図１】  刃の見取図
【図２】  ペーパー押えの見取図
【図３】  ペーパー受けの見取図
【図４】  本案カッターの見取図
【図５】  ペーパー押えの側面図
【図６】  ペーパー受けの側面図
【図７】  接着状態の側面図
【図８】  嵌合状態の側面図
【符号の説明】
１  ロールペーパーホルダー  １１  刃板          ２１  受板
２  ロールペーパー          １２  刃            ２２  刃受
３  ペーパーの末端          １３  ペーパー押え  ２３  ペーパー受け
４  カバー                  １４  内側斜面      ２４  外側斜面
５  カバーの縁              １５  基部          ２５  基部
１６  戻り止め      ２６  開バネ
１７  突起          ２７  びょう
１８  丸道          ２８  ペーパーの戻り止め
【図１】
0003119414.tif 000003
【図２】
0003119414.tif 000004
【図３】
0003119414.tif 000005
【図４】
0003119414.tif 000006
【図５】
0003119414.tif 000007
【図６】
0003119414.tif 000008
【図７】
0003119414.tif 000009
【図８】
0003119414.tif 000010
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
ロールペーパー２の巾よりやや広めの長さをもったもので、切り口が三角形状の三角棒の、やや太めのものと細めのものを各二本ずつと、外接する二つの円の接点を刃１２の切っ先の頂点とし、接点をつくる二つの円弧を切り刃の二辺とする多数の鋭利な突起１７を雁行形に並べ、上記三角棒と同じ長さの刃１２と、およびロールペーパー２の巾よりやや広めの巾を持つ、板状をした刃板１１と受板２１等と、これらを次のように組み合わせる。
上記太めの三角棒と細めの三角棒の各二本ずつにおいて、それぞれの一つの角にあたる一辺を少し切り落して平面とし、この面と面を合わせて縦長の側面の形が丁度Ｍ字型になるように並べたときに、太めの二本の三角棒をペーパー押え１３とし細めの二本の三角棒をペーパー受け２３とする。
ペーパー押え１３とペーパー受け２３のそれぞれの二つの尾根にあたる部分の間にある谷間状の内側の傾斜面を内側斜面１４とし、ペーパー受け２３の内側斜面１４で形成される谷間状の空間を刃受２２とする。またペーパー押え１３の内側斜面１４の底部に合わせてある三角棒の角と角の平面で刃１２の基部を両側から押えてこれを保持し、刃１２の切っ先が内側斜面１４の空間部に保持されるようにする。
ペーパー押え１３の内側斜面１４の空間部に現われている、刃１２の基部から切っ先までの部分の長さと同じ厚みのあるスポンジのように伸縮性のある伸縮体１８を、この両側の内側斜面１４にとりつけてこの伸縮体１８で刃１２の切っ先部分全体を覆い隠し、伸縮体１８が圧縮されたときに刃１２の切っ先が現われるようにする。またこれらの尾根の両外側で、尾根から麓に至るまでの傾斜面を外側傾斜２４とする。
このペーパー押え１３の上下の位置を置き換えて、縦長の側面の形がＷ字型となるようにしてペーパー受け２３の上からかぶせたときに、ペーパー押え１３の内側斜面１４と伸縮体１８がペーパー受け２３の外側傾斜２４を両外側から抱え込むようにし、ペーパー押え１３とペーパー受け２３とが接着・嵌合できるようにし、また嵌合したときに刃１２の切っ先がペーパー受け２３の刃受２２の空間部に保持されるようにする。
ペーパー押え１３とペーパー受け２３とを接着させたときに、伸縮体１８とペーパー受け２３の外側傾斜２４とでペーパー２の両面を挟んで押え、刃受２２の上面で伸縮体１８やペーパー受け２３のいずれのところにも触れていない空間に、両横方向へ引っ張って安定させておくようにし、また指先でペーパー押え１３を押し下げてペーパー押え１３とペーパー受け２３とを嵌合させたときに、上記のように安定保持されているペーパー２の中央部を、刃１２で刺し切ることができるようにし、このようにして刺し切った刃１２の切っ先を保持できるのに充分な広さの空間を、ペーパー受け２３の刃受２２にもたせるようにする。
ペーパー押え１３を刃板１１の先端に、またペーパー受け２３を受板２１の先端にとりつけて、この両板１１・２１の基部１５・２５を相互に回転可能にびょう２７で結合し、なお基部１５・２５に刃板１１と受板２１とを開閉できる開バネ２６をとりつけ、また両板１１・２１の開きすぎを防ぐための戻り止め１６を刃板１１か受板２１のいずれかにとりつけ、ペーパー２が切り離されたときにペーパー２の末端３がペーパー受け２３の上面からペーパーホルダー１の方向へ離れすぎないようにペーパーの戻り止め２８をペーパー受け２３にとりつけ、両板１１・２１を開閉したときに両板１１・２１の先端にあるペーパー押え１３とペーパー受け２３とが互いに接着・嵌合・離脱が可能になるようにする。
以上のように組み合わせて構成するロールペーパーカッター。
【手続補正３】
【補正対象書類名】明細書
【補正対象項目名】全文
【補正方法】変更
【補正の内容】
【考案の詳細な説明】
【技術の分野】
【０００１】  本案は片手の２本の指先だけの操作でロールペーパーの切り残しを無くし、切り口を綺麗に仕上げるためのロールペーパーカッターに関する。
【背景技術】
【０００２】
【特許文献１】  特開平１０−１４６２９７（トイレットペーパーの切断器）
【特許文献２】  特開２００３−１４５４８２（安全カッター）
【特許文献３】  特開２００４−８１７３８（ロール紙用ホルダー）
【特許文献４】  特開２０４−２６１５５３（片手で切れるペーパーカッター）
【特許文献５】  特開昭５９−１０１１２２（ペーパーホルダー）
【特許文献６】  特開平０１−２２１１２６（ティッシュペーパーカッター）
【特許文献７】    特開平０９−８４７１８（柔軟シート切断装置）
【特許文献８】  特開平０９−２５３００１（トイレットペーパー切断装置）
【特許文献９】  実開昭６２−３５５９５（トイレットペーパーホルダー）
【特許文献１０】  登録実用３０４２８２３（ロールペーパー収納具）
【考案の開示】
【考案が解決しようとする課題】
【０００３】  １  ペーパーの切り残しや不揃いの切り口を無くし綺麗な切り口を得る策。
２  刃の使用上と管理上の安全対策。
３  身障者の使用上の利便向上策。
【課題を解決するための手段】
【０００４】  ロールペーパーカッターについて、従来は両手を使ってペーパーホルダーのカバーを上に持ち上げておいてから取り出したペーパーを、ペーパーホルダーのカバーの縁で押えながら手で引きちぎる方法によるものが多く、また最近ではペーパーを軟質物体の上面に保持しておいて片手で刃を押し当てて切り取る方法のものが多く、中にはペーパーを保持しておくのに磁石を使用したり、ペーパーを保持するためにセンサーを利用したりするものもあるが、いずれも片手の二本の指先だけを使ってペーパーを綺麗に切り取ることは難しかった。【０００５】  本案はこのようなものは使わずに、ペーパーの切りたいところの両側の二ヶ所を押えて両横方向へ引っ張って、その間のペーパーの両面がどこにも触れていない空間に保持しておき、その中間部を、尖った切っ先を持つ鋭利な刃で刺し切るようにし、これらの操作のすべてを片手の指先だけでできるようにしたものである。【０００６】  ロールペーパーカッターの本体部分となる刃や、ペーパーを受け止めたり押えたりするための素材の長さを、ロールペーパーの巾よりやや広めの長さの約１３ｃｍ程にしておき、切り口の形が三角形状の三角棒の一つの角にあたる辺を少し切り落として第４番目の平面を作って、これを四辺をもつ変形の三角棒とし、これのやや太めの二本の三角棒とやや細めの二本の三角棒のそれぞれの第４番目の平面を二つずつ合わせたときに、その側面の切り口の形が丁度Ｍ字型となるように並べ、この太めの二本の三角棒をペーパー押えとし、細めの二本の三角棒をペーパー受けとした。【０００７】  このペーパー押えとペーパー受けのそれぞれについて、これを連峰・谷間・麓等に例えていうときに、二つの尾根にあたる部分の間にある谷間状の内側にある傾斜面を内側斜面とし、ペーパー受けの内側斜面を形成する谷間状の空間を刃受とする。この刃受には刃がペーパーを刺し切った後に刃の切っ先部分がこの空間に保持されるだけ充分なスペースをもたせておくようにした。またペーパー押えの内側斜面の底部に合わせてある三角棒の第４番目の平面二つで刃の基部を両側から押えて保持し、刃の切っ先部分が内側斜面の空間部に保持されるようにした。【０００８】  鋭利な切っ先を持つ刃の安全管理上、刃を如何に保護しておくかを考えるとき、ペーパー押えの内側斜面の空間部に現われている、刃の基部から切っ先までの部分の長さと同じ厚みのあるスポンジのように伸縮性のある伸縮体をその空間部の両側にある内側斜面にとりつけてこの伸縮体で刃の切っ先部分全体を覆い隠すようにし、伸縮体が圧縮されたときに刃の切っ先が現われるようにした。ペーパー押えとペーパー受けとの尾根の両外側で尾根から麓に至るまでの傾斜面を外側斜面とした。【０００９】  刃受を持ったペーパー受けの外側斜面と、伸縮体で切っ先を覆い隠された刃を持つペーパー押えの内側斜面とを使ってペーパーを押えようとするときに、このペーパー押えの上下の位置を置き換えて、側面の切り口の形が丁度Ｗ字型となるようにして、これをペーパー受けの上面にかぶせたときに、ペーパー押えの内側斜面と伸縮体とがペーパー受けの外側斜面を両外側から抱え込むようにし、ペーパー押えとペーパー受けとが互いに接着し嵌合できるようにしておき、また嵌合したときに刃の切っ先がペーパー受けのいずれのところにも触れないでペーパー受けの刃受けの空間部に保持されるようにした。【００１０】  ペーパーホルダーから引き出したペーパーを刃で刺し切る前に、ペーパーをどのような状態に保持しておくのかについては、ペーパー押えとペーパー受けとを接着させたときに、伸縮体とペーパー受けの外側斜面とでペーパーの両面を挟んで押さえ、刃受の上面で伸縮体やペーパー受けのいずれのところにも触れていない空間に、ペーパーが引き出されてきた側と出てゆく側の相反対の二つの横方向へ引っ張って安定させておくようにし、またペーパー押えとペーパー受けとを嵌合したときに、上記のように安定保持されているペーパーの中央部を請求項１冒頭記載の鋭利な刃で刺し切ることができるようにし、この刃がペーパーを刺し切った後に刃の切っ先部分を刃受けの空間部分が余裕をもって保持できるだけの充分な広さを刃受に持たせるようにした。【００１１】  ペーパー押えとペーパー受けとが接着・嵌合したときに、刃の切っ先が刃受の上面に水平に安定保持されているペーパーの中央部に垂直に当たるように、ペーパー押えとペーパー受けとの相互の位置関係を確認し、ペーパー押えとペーパー受けとを取り付けている刃板と受板の両基部を回転可能に結合するときは、両板の長さと基部の結合点との位置関係を調整しておくようにした。なお基部に刃板と受板とを開閉できる開バネをとりつけ、また両板の開きすぎを防ぐための戻り止めを刃板か受板のいずれかにとりつけ、ペーパーが切り離されたときにペーパーの末端がペーパー受けの上面からペーパーホルダーの方向へ離れすぎないようにペーパーの戻り止めをペーパー受けにとりつけた。【００１２】  開バネの開いているときの角度はペーパー押えとペーパー受けとが離脱しているときに、これらの間に指二本が楽に入るほどの空間があれば足りるが、この開く角度が過大になっている場合もありうるので、この開きすぎを防ぐためこの戻り止めをペーパー押えの基部に取り付けることとした。【００１３】  また刃で刺し切られたペーパーの末端の在り方について次の利用者の便を考えるときに、ペーパーの末端がそのまま刃受の上面に残された状態が望ましいが、若干はペーパーが引き出されてきた側方向へ戻る傾向があり、これを防ぐためペーパーの戻り止めをペーパー受けに取り付けた。ペーパーの戻り止めの構造については例えば厚紙のような軽くて薄い素材で、ペーパーの巾より少し狭い約１０ｃｍ縦３ｃｍ程の矩形状のもので足り、その下縁の裏側がペーパーの上面に斜めに触れるように下げて置き、他の上縁の両端を、ペーパーが置かれている上部で、ペーパーの上面から約指二本が入るほどの高さのペーパー押えの位置に取り付けるようにした。【００１４】  ペーパー押えを押し下げていた指先を離すと刃は伸縮体に隠れながらペーパー押えとともに元の位置に戻り、切り離されたペーパーは手元に納まり、また残されたペーパーの末端はペーパーの戻り止めにより、刃受かペーパー受けの外側斜面のところに保持されて次の使用者のためにスタンバイされる。このようにして、刃板と受板とを開閉したときにペーパー押えとペーパー受けとが互いに接着・嵌合・離��が可能になるように構成した。従って［０００３］課題１の「ペーパーの切り残しや不揃いの切り口を無くし綺麗な切り口を得る策」は講じられている。【００１５】  ペーパー押えがペーパー受けに接着してから嵌合してペーパーを切断し、その後再び嵌合状態から接着状態へ戻るまでの間に限って、刃が覆い隠されている状態からむき出し状態になるように構成されているため、この間は使用者の手や指先が刃には接近できない。本案の使用中の刃による事故は起こらない。使用していない管理中でも刃はペーパー押えの内側斜面や伸縮体で保護されていて刃による事故は完全に防止されている。従って［０００３］課題２「刃の使用上と管理上の安全対策」は講じられている。【００１６】  ペーパーの末端が置かれているところにペーパーカバーはつけてはなく、ペーパー押えとペーパー受けが使用者の眼前に位置するように構成されていて、そこには常にペーパーの末端が安定して置かれているため、ペーパーの引き出しや切断・とりあげ等の操作のすべてが最も身近な手元でできるし、左右いずれかの二本の指先だけでできる。従って［０００３］課題３「身障者の使用上の利便向上策」は講じられている。本案は以上のように構成し、ペーパー押えの内側斜面の伸縮体とペーパー受けの外側斜面とで、ペーパーの二ヶ所を押え両横方向へ引っ張りながら刃受の上面の空間に安定保持しておき、その空間にあるペーパーの中央部をシャープな刃で刺し切ることを特徴とするロールペーパーカッターである。
【考案の効果】  １  ペーパーの切り残しが無く切り口を綺麗に仕上げることができる。
２  使用中も管理中も刃による事故は一切起こらない。
３  片手の２本の指先だけを使って軽いタッチで操作ができる。
【考案を実施するための最良の形態】  本案をペーパーホルダーの上部にセットして壁掛用のロールペーパーカッターとして使用する。
【実施例】  壁掛けタイプとしてトイレ用とする他に、化粧台の手前に本案をその奥にロールペーパーホルダーをセットし手回り用ペーパーカッターとする。
【産業上の利用可能性】  構造平易・材料簡素・製作コスト低簾で故障無く需要の対応が可能。
【図面の簡単な説明】  図１  刃の斜視図                      図２  ペーパー押えの斜視図
図３  ペーパー受けの斜視図
図４  ペーパー押えとペーパー受けの離脱時の斜視図
図５  ペーパー押えの中央部切断面による説明図
図６  ペーパー受けの中央部切断面による説明図
図７  ペーパー押えとペーパー受けの接着時の中央部切断面による説明図
図８  ペーパー押えとペーパー受けの嵌合時の中央部切断面による説明図
【符号の説明】
１  ロールペーパーホルダー  １１  刃板          ２１  受板
２  ロールペーパー          １２  刃            ２２  刃受
３  ペーパーの末端          １３  ペーパー押え  ２３  ペーパー受け
４  カバー                  １４  内側斜面      ２４  外側斜面
５  カバーの縁              １５  基部          ２５  基部
１６  戻り止め      ２６  開バネ
１７  突起          ２７  びょう
１８  伸縮体        ２８  ペーパーの戻り止め
【手続補正４】
【補正対象書類名】図面
【補正対象項目名】全図
【補正方法】変更
【補正の内容】
【図１】
0003119414.tif 000011
【図２】
0003119414.tif 000012
【図３】
0003119414.tif 000013
【図４】
0003119414.tif 000014
【図５】
0003119414.tif 000015
【図６】
0003119414.tif 000016
【図７】
0003119414.tif 000017
【図８】
0003119414.tif 000018
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
ペーパー受けの上に引き出されたロールペーパーを刃で切りとるロールペーパーカッターにおいて、
（１）  二つの山の間に谷間を挟んだＭ字型状をした切り口をもち、長さがロールペーパー２の巾より若干広めの長さをもつ真っ直ぐな形状をした物体の、太さが小指よりも細めのものをペーパー受け２３とし太めのものをペーパー押え１３とし、それぞれの谷間を形成する内側の斜面を内側斜面１４とし、外側の斜面を外側斜面２４とし、ペーパー受け２３の内側斜面１４の空間部を刃受２２とし、
（２）  二つの円が外接する接点を刃１２の切っ先とし、この接点を形成する両円の円弧を二辺の切り刃とする突起１７の多数を雁行形状に並べて長さをペーパー押え１３と同じ長さにした刃１２を、刃１２の峰を下に切っ先を上にしてペーパー押え１３の内側斜面１４の中央部の谷間の底部にとりつけ、ペーパー押え１３の両内側斜面１４に伸縮体１８をとりつけ、
（３）  この伸縮体１８を、Ｍ字型状に置いたペーパー押え１３の上下の位置を置き換えてＷ字型状にし、ペーパー受け２３の上に引き出されたペーパー２の上からペーパー受け２３の上に組み合わせてかぶせ、ペーパー押え１３の内側斜面１４の伸縮体１８の表面とペーパー受け２３の外側斜面２４とを接着させ、このペーパー２を保持しながら内外側両斜面１４・２４の傾斜方向へ引っ張っておくことを可能とする構造とし、
（４）  またこの伸縮体１８を、ペーパー押え１３を更に押し下げてペーパー押え１３とペーパー受け２３とが嵌合して、ペーパー押え１３につけてある刃１２の切っ先が、ペーパー受け２３の刃受２２の上面の中央で両横方向へ引っ張られているペーパー２を刺し切った後に、刃受２２の空間部に保持される状態になるまでに対応して収縮可能な伸縮体１８とし、またこの伸縮体１８の一部分で刃１２の切っ先を両側から覆い隠す構造とし、
（５）  このペーパー押え１３とペーパー受け２３とを組み合わせて接着した状態において、ペーパー押え１３の内側斜面１４の谷間に当たる底部からペーパー受け２３の刃受２２の上面に至るまでの長さよりも若干短めの長さと、刃１２の巾にあたる刃１２の峰から切っ先までの長さとを同じ長さにする構造とし、
（６）  このペーパー押え１３を刃板１１の先端に、またペーパー受け２３を受板２１の先端にとりつけ、この刃板１１と受板２１の基部１５・２５に、接着・嵌合しているペーパー押え１３とペーパー受け２３とを離脱させて約６０度に開離可能にする開バネ２６をとりつけて結合させる構造とし、
以上の構成からなるロールペーパーカッター。